(57)【特許請求の範囲】
【請求項１】
意匠カバー内に、コネクタを有する基板と、前記コネクタに挿入するＬ型プラグと、前記Ｌ型プラグを介し前記コネクタの反対側に配置されたリブと、を有し、
前記Ｌ型プラグは、ケーブルに接続するＬ字の一辺であるＬ型プラグ第１部と、前記コネクタに接続する前記Ｌ字の他辺であるＬ型プラグ第２部とを有し、前記コネクタへの挿し込み方向を回転軸とする回転により前記Ｌ型プラグ第１部の向きを変え、
前記リブは、前記Ｌ型プラグ第１部の向きを前記基板の面に略垂直とした時に、前記Ｌ型プラグの前記コネクタへの挿し込み方向の延長上で前記Ｌ型プラグ第１部に重ならないよう前記基板の面の並行方向にずらせて配置され、前記Ｌ型プラグ第１部を前記基板の面に略並行とした時に、前記Ｌ型プラグの前記コネクタへの挿し込み方向の延長上で前記Ｌ型プラグ第１部に重なる、Ｌ型プラグ接続構造。
【請求項２】
前記リブは面取り部を有し、前記面取り部は、前記Ｌ型プラグが前記コネクタに半挿し状態である場合、前記Ｌ型プラグ第１部を前記基板に対して略垂直方向から略並行方向になるように回転させる際に、前記Ｌ型プラグ第１部に接触する、請求項１記載のＬ型プラグ接続構造。
【請求項３】
前記接触によって、前記Ｌ型プラグは前記面取り部に沿って前記コネクタに挿入される、請求項２記載のＬ型プラグ接続構造。
【請求項４】
前記リブは、前記Ｌ型プラグを回転させた後に前記Ｌ型プラグをロックする切り欠き部を有する、請求項１から３の内の１項記載のＬ型プラグ接続構造。
【請求項５】
前記リブは、複数を有する、請求項１から４の内の１項記載のＬ型プラグ接続構造。
【請求項６】
前記リブは、前記Ｌ型プラグを回転させた際に、前記Ｌ型プラグに近い前記リブから順に前記Ｌ型プラグ第１部に前記接触をする、請求項５記載のＬ型プラグ接続構造。
【請求項７】
前記リブは、前記Ｌ型プラグの前記コネクタへの挿し込み方向の延長線を介して対称に設置された、請求項５記載のＬ型プラグ接続構造。
【請求項８】
請求項１から７の内の１項記載のＬ型プラグ接続構造を有する電子機器。
【発明の詳細な説明】
【技術分野】
【０００１】
本発明は、電子機器の機器内部においてＬ型プラグを接続する際の接続構造、およびこれを用いた電子機器に関する。
【背景技術】
【０００２】
電子機器の機器内部で電源プラグを接続する場合、機器動作の安全性や安定性を確保するためには、電源プラグを機器内に設けられたコンセントに確実に挿すことが、機器の組み立て時の重要な要素である。
【０００３】
特許文献１には、電子機器とそのコントロール装置を電気的に接続する外部ケーブルが、電子機器から簡単には外れないようにする構造が開示されている。これによれば、ケーブルの先端部のジャックに係合部を有し、この係合部が、機器側のプラグに併設された係止部に係合することによって、ジャックがプラグから外れることを阻止する。さらに、係合部が係止部に係合することによって、ジャックはプラグに十分に挿入したことになる。
【先行技術文献】
【特許文献】
【０００４】
【特許文献１】特開２０１０−５６９４５号公報
【発明の概要】
【発明が解決しようとする課題】
【０００５】
電子機器の機器内部で電源プラグを接続する場合の課題を、図を用いて説明する。図６は、既知の電子機器の機器内部においてＬ型プラグを接続する構造を示す。また、図７は、図６の組み立ての様子を示す。
【０００６】
図６の様に、電子機器はその外枠となる意匠カバー４’を有し、意匠カバー４’の内部に電子部品を実装した基板１’を有する。基板１’は、基板１’と電源とを接続するためのコネクタ２’を有する。コネクタ２’には電源などからのケーブル１１’の先端部に設けられたＬ型プラグ３’が接続する。Ｌ型プラグ３’は、ケーブル１１’に接続するＬ字の一辺であるＬ型プラグ第１部３ａ’と、コネクタ２’に接続するＬ字の他辺であるＬ型プラグ第２部３ｂ’と、を有する。
【０００７】
意匠カバー４’はプラスチックなどで形成される。意匠カバー４’にはリブ６が設けられている。リブ６は、Ｌ型プラグ３’を介してコネクタ２’とは反対側に設けられる。さらに、リブ６は、Ｌ型プラグ第１部３ａ’を基板１’の面に垂直にした状態で、Ｌ型プラグ３’のコネクタ２’への挿し込み方向の延長線上で、Ｌ型プラグ第１部３ａ’に重なるように配置される。
【０００８】
図６の構造の組み立て手順は図７に示すように、まず、基板1’のコネクタ２’にＬ型プラグ３’を挿入し、次に、矢印２’の方向に基板１’を意匠カバー４’に組み付けする。
【０００９】
コネクタ２’へのＬ型プラグ３’の挿入に際しては、プラグをコネクタに挿入して行くと、プラグがコネクタに完全に挿入される手前の半挿しの状態で挿入が中断されてしまう場合がある。この場合、半挿し状態のままで、次の工程に進めてしまうというミスが生じる。さらに、半挿し状態か否かの確認は、目視や挿入した際の手の感覚で行われているため、半挿し状態が見逃される場合が生じている。
【００１０】
基板１’を意匠カバー４’に組み入れる工程で上記のような半挿し状態が発覚した場合、確実にＬ型プラグ３’をコネクタ２’に挿入するために、一旦、基板１’を安定する場所に移動させてから再度挿入を行う工程が必要となる。そのため、工程の後戻りが発生し、スムースな組み立て工程が妨げられていた。
【００１１】
図６の構造および図７の工程においては、リブ６は、組み立て後にＬ型電源プラグ３’が抜けてしまうことを防ぐ効果を有する。また、リブ６は、半挿し状態の基板１’が意匠カバー４’に組み込まれようとしたときには、Ｌ型プラグ３’がリブ６にぶつかることによって、半押し状態を検出する効果を有する。しかしながら、半挿し状態を検出した場合も、再度押し込むための工程に後戻りしなければならなかった。
【００１２】
特許文献１には、係合部が係止部に係合することによって、ジャックはプラグに十分に挿入したことになる構造が開示されている。しかしながら、特許文献１は、電子機器に外部からのケーブルを接続する場合の構造である。そのため、図６のように機器内部で基板のコネクタにＬ型プラグを接続する場合、係合部や係止部を設けるためのスペースの確保は困難であった。
【００１３】
本発明は、上記の課題に鑑みてなされたものであり、その目的は、電子機器の機器内部でＬ型プラグを接続する場合、プラグの半挿し状態を防止しかつスムースな組み立てを可能とするＬ型プラグ接続構造を提供することである。
【課題を解決するための手段】
【００１４】
本発明によるＬ型プラグ接続構造は、意匠カバー内に、コネクタを有する基板と、前記コネクタに挿入するＬ型プラグと、前記Ｌ型プラグを介し前記コネクタの反対側に配置されたリブと、を有し、前記Ｌ型プラグは、ケーブルに接続するＬ字の一辺であるＬ型プラグ第１部と、前記コネクタに接続する前記Ｌ字の他辺であるＬ型プラグ第２部とを有し、前記コネクタへの挿し込み方向を回転軸とする回転により前記Ｌ型プラグ第１部の向きを変え、前記リブは、前記Ｌ型プラグ第１部の向きを前記基板の面に略垂直とした時に、前記Ｌ型プラグの前記コネクタへの挿し込み方向の延長上で前記Ｌ型プラグ第１部に重ならないよう、前記基板の面の並行方向にずらせて配置される。
【００１５】
本発明による電子機器は、意匠カバー内に、コネクタを有する基板と、前記コネクタに挿入するＬ型プラグと、前記Ｌ型プラグを介し前記コネクタの反対側に配置されたリブと、を有し、前記Ｌ型プラグは、ケーブルに接続するＬ字の一辺であるＬ型プラグ第１部と、前記コネクタに接続する前記Ｌ字の他辺であるＬ型プラグ第２部とを有し、前記コネクタへの挿し込み方向を回転軸とする回転により前記Ｌ型プラグ第１部の向きを変え、前記リブは、前記Ｌ型プラグ第１部の向きを前記基板の面に略垂直とした時に、前記Ｌ型プラグの前記コネクタへの挿し込み方向の延長上で前記Ｌ型プラグ第１部に重ならないよう、前記基板の面の並行方向にずらせて配置されたＬ型プラグ接続構造を有する。
【発明の効果】
【００１６】
本発明によれば、電子機器の機器内部でＬ型プラグを接続する場合、プラグの半挿し状態を防止しかつスムースな組み立てを可能とするＬ型プラグ接続構造を提供することができる。
【図面の簡単な説明】
【００１７】
【図１】本発明の第１の実施形態のＬ型プラグ接続構造とその組み立てを示す図である。
【図２】本発明の第１の実施形態のＬ型プラグ接続構造とその組み立てを示す図である。
【図３】本発明の第１の実施形態のＬ型プラグ接続構造を示す図である。
【図４】本発明の第１の実施形態のＬ型プラグ接続構造を示す図である。
【図５】本発明の第１の実施形態のＬ型プラグ接続構造を示す図である。
【図６】既知のＬ型プラグ接続構造を示す図である。
【図７】既知のＬ型プラグ接続構造とその組み立てを示す図である。
【図８】本発明の第２の実施形態のＬ型プラグ接続構造を示す図である。
【図９】本発明の第３の実施形態のＬ型プラグ接続構造を示す図である。
【図１０】本発明の第４の実施形態のＬ型プラグ接続構造を示す図である。
【発明を実施するための形態】
【００１８】
以下、図を参照しながら、本発明の実施形態を詳細に説明する。但し、以下に述べる実施形態には、本発明を実施するために技術的に好ましい限定がされているが、発明の範囲を以下に限定するものではない。
（第１の実施形態）
図１を用いて、本発明の第１の実施形態のＬ型プラグ接続構造を説明する。図１は、本実施形態のＬ型プラグ接続構造を示す図である。
【００１９】
本実施形態のＬ型プラグ接続構造は、意匠カバー４内に、コネクタ２を有する基板１と、前記コネクタ２に挿入するＬ型プラグ３と、前記Ｌ型プラグ３を介し前記コネクタ２の反対側に配置されたリブ５と、を有する。前記Ｌ型プラグ３は、ケーブル１１に接続するＬ字の一辺であるＬ型プラグ第１部３ａと、前記コネクタ２に接続する前記Ｌ字の他辺であるＬ型プラグ第２部３ｂとを有する。さらに、前記コネクタ２への挿し込み方向を回転軸とする回転により前記Ｌ型プラグ第１部３ａの向きを変える。前記リブ５は、前記Ｌ型プラグ第１部３ａの向きを前記基板１の面に略垂直とした時に、前記Ｌ型プラグ３の前記コネクタ２への挿し込み方向の延長上で前記Ｌ型プラグ第１部３ａに重ならないよう、前記基板１の面の並行方向にずらせて配置される。
【００２０】
図１〜図５を用いて、さらに詳しく、本実施形態のＬ型プラグ接続構造を説明する。図１と図２とは、電子機器の機器内部においてＬ型プラグを接続する構造とその組み立てを示す図である。図３、図４、図５は、電子機器の機器内部においてＬ型プラグを接続する構造を示す図である。図３はＡ−Ａ断面図を、図４はＢ−Ｂ断面図を、図５はＣ−Ｃ断面図を、それぞれ示す図を有する。なお、それぞれの断面を示す図では、当該の断面を斜線入りで示し、当該の断面に前後する構造を斜線なしで示す。
【００２１】
図１と図２とに示すように、本実施形態のＬ型プラグ接続構造を有する電子機器は、その外枠となる意匠カバー４を有し、意匠カバー４の内部に電子部品を実装した基板１を有する。基板１は、基板１と電源などとを接続するためのコネクタ２を有する。コネクタ２には電源などからのケーブル１１の先端部に設けられたＬ型プラグ３が接続する。Ｌ型プラグ３は、ケーブル１１に接続するＬ字の一辺であるＬ型プラグ第１部３ａと、コネクタ２に接続するＬ字の他辺であるＬ型プラグ第２部３ｂと、を有する。Ｌ型プラグ３は、電子機器に組み込まれた後に、コネクタ２への挿し込み方向を回転軸とする回転により、Ｌ型プラグ第１部３ａの方向を変えることができる。
【００２２】
意匠カバー４はプラスチックなどで形成される。意匠カバー４にはリブ５が一体的に設けられている。リブ５は、Ｌ型プラグ３を介してコネクタ２とは反対側に設けられる。さらに、リブ５は、Ｌ型プラグ第１部３ａの向きが基板１の面に垂直である時、Ｌ型プラグ３のコネクタ２への挿し込み方向の延長線上で、Ｌ型プラグ第１部３ａにぶつからないように基板１の面に並行方向にずらせて配置される。
【００２３】
図１と図２に示すように、本実施形態のＬ型プラグ接続構造の組み立て手順は、まず、基板1のコネクタ２にＬ型プラグ３を挿入する。その際、Ｌ型プラグ第１部３ａの向きが、矢印１の方向、すなわち、基板１の面に略垂直になるように挿入する。次に、基板１を矢印２の方向から意匠カバー４に組み付ける。次に、Ｌ型プラグ３を、コネクタ２への挿し込み方向、すなわち、Ｌ型プラグ第２部３ｂを回転軸として略９０度回転させて（図１の矢印３の方向）、Ｌ型プラグ第１部３ａの方向を基板１の面に略並行となるように変える。
【００２４】
図３に示すように、Ｌ型プラグ３の後方には、意匠カバー４に一体的に形成されたリブ５が設けられている。リブ５は、Ｌ型プラグ第１部３ａの方向を図２の矢印１の方向とした状態で、Ｌ型プラグ３のコネクタ２への挿し込み方向の延長線上からずらせて設けられている。さらに、Ｌ型プラグ３を図１の矢印３の方向に回転させた時に、Ｌ型プラグ３がコネクタ２へ自動的にかつ完全に挿し込まれるための面取り（Ａ−Ａ断面図）を有する。
【００２５】
次に、図３、図４、図５を用いてリブ５の詳細を説明する。
【００２６】
リブ５の位置は、図４の様にＬ型プラグ３を回転させた時に、リブ５がＬ型プラグ第１部３ａに当たるよう、矢印４の方向で且つ図５の矢印６の方向で示された範囲にある。さらに、図５の様に、矢印６の方向において、Ｌ型プラグ３との隙間を設けることを特徴とする。
【００２７】
リブ５は面取りを有する。リブ５の面取りは、図４のＢ−Ｂ断面図の様に、面取りの終わりの位置がＬ型プラグ３より下に位置しないよう設けられる。すなわち、面取りの終わり位置から意匠カバー４の底部に向けて略垂直に延伸する部分が、その高さ方向である矢印５の方向において、Ｌ型プラグ３とオーバーラップする領域を有する。
【００２８】
面取りの始まりの位置は、図５のＣ−Ｃ断面図の様に、Ｌ型プラグ３がケーブル１１を矢印１の方向に向けてコネクタ２に挿入されたとき、半挿し状態であっても、Ｌ型プラグ３のＬ型プラグ第１部３ａよりも後方に位置するよう矢印７の方向に配置している。プラグをコネクタに接続する場合、プラグをコネクタに挿入して行くと、半挿し状態で挿入が一旦停止し、さらに力を加えて押し込むことによって、半挿し状態から完全に挿し込んだ状態にすることができる。この半挿し状態でのＬ型プラグ３の位置に基づいて、面取りの始まり位置を指定することが可能である。
【００２９】
図５の様にＬ型プラグ３が半挿しの状態であっても、Ｌ型プラグ３を図１の矢印３の方向に回転させることによって、Ｌ型プラグ第１部３ａが面取り部の斜面に誘導されて、自動的かつ確実にＬ型プラグ３はコネクタ２に挿入される。よって、半挿しを見逃すことがなく、組み立て不良を発生させない効果がある。さらに、半挿しの場合に、一旦、基板１を安定する場所に移動させてから再度挿入を行うという後戻りの工程が発生せず、組み立て工程のスムースな遂行が妨げられることがない。
【００３０】
なお、本実施形態のＬ型プラグ接続構造は、予め意匠カバー４に組み付けされた基板１のコネクタ２に、Ｌ型プラグ３を後から挿入する場合にも成り立つ。すなわち、リブ５は、予め基板１を意匠カバー４に組み付けた状態でも、Ｌ型プラグ３にぶつからないでＬ型プラグ３を挿入できる位置に設けられている。そのため、Ｌ型プラグ３をコネクタ２に挿入し、その後に回転させることによって、完全に挿入することができる。よって、組み立て工数の削減の効果も有する。
【００３１】
本実施形態の意匠カバー４とリブ５は、プラスチックの他にも金属等の材質とすることができる。リブ５は、意匠カバー４と一体に成型されることが好適であるが、意匠カバー４とは別に加工した後に接着剤などで一体化することもできる。なお、Ｌ型プラグ３やコネクタ２は、電源用ケーブルのプラグやコネクタとして説明したが、他の目的のためのものであってもよい。
【００３２】
本実施形態のＬ型プラグ接続構造を有する電子機器は、サーバやパソコンなどの情報機器、ルータなどの通信機器、テレビやオーディオなどの家電機器、携帯電話やスマートフォンなどの携帯機器などとすることができる。
【００３３】
以上のように、本実施形態によれば、電子機器の機器内部でＬ型プラグを接続する場合、プラグの半挿し状態を防止しかつスムースな組み立てを可能とするＬ型プラグ接続構造を提供することができる。
（第２の実施形態）
図８を用いて、本発明の第２の実施形態のＬ型プラグ接続構造を説明する。図８は、本実施形態のＬ型プラグ接続構造を示す図である。本実施形態のＬ型プラグ接続構造が第１の実施形態と異なる点は、本実施形態のＬ型プラグ接続構造は切り欠き形状を有するリブ７を有する点である。その他の構成要素は、第１の実施形態と同じである。
【００３４】
切り欠き形状を付けたリブ７を設けることで、Ｌ型プラグ３が回転した位置でロックされるため、ケーブル１１が引っ張られてもＬ型プラグ３は抜けにくくなる。また、Ｌ型プラグ３の回転防止にもなり、機器内部でＬ型プラグ３がケーブル１１の反発力等で動くことを防止できる。さらに、Ｌ型プラグ３を回転させることで確実に挿入がされたことを、ロックされた時の手の感触で知ることができ、組み立ての確実性が上がる。
【００３５】
以上のように、本実施形態によれば、電子機器の機器内部でＬ型プラグを接続する場合、プラグの半挿し状態を防止しかつスムースな組み立てを可能とするＬ型プラグ接続構造を提供することができる。
（第３の実施形態）
図９を用いて、本発明の第３の実施形態のＬ型プラグ接続構造を説明する。図９は、本実施形態のＬ型プラグ接続構造を示す図である。本実施形態のＬ型プラグ接続構造が第１の実施形態と異なる点は、２つのリブ（リブ８とリブ９）とを有する点である。リブ８とリブ９の配置および面取りは、第１の実施形態のリブの配置と面取りと同様である。また、その他の構成要素は、第１の実施形態と同じである。
【００３６】
Ｅ−Ｅ断面図の様に、リブ８はリブ９よりもＬ型プラグ３から後退し間隔を有した位置に配置される。このようにリブを２個もしくは２個以上の複数設けることで、Ｌ型プラグ３が半挿し状態であって、Ｌ型プラグ３の抜け量が大きくても、Ｌ型プラグ３を回転させることによる押し込みをしやすくすることができる。
【００３７】
以上のように、本実施形態によれば、電子機器の機器内部でＬ型プラグを接続する場合、プラグの半挿し状態を防止しかつスムースな組み立てを可能とするＬ型プラグ接続構造を提供することができる。
（第４の実施形態）
図１０を用いて、本発明の第４の実施形態のＬ型プラグ接続構造を説明する。図１０は、本実施形態のＬ型プラグ接続構造を示す図である。本実施形態のＬ型プラグ接続構造が第１の実施形態と異なる点は、リブ５とＬ型プラグ３を介して反対側、もしくは対称の位置にリブ１０を設ける点である。リブ１０はリブ５と同様、第１の実施形態の配置と面取りとを有する。その他の構成要素は、第１の実施形態と同じである。
【００３８】
リブ５とリブ１０とを設けることによって、Ｌ型プラグ３をどちら側に回転させても良くなるため、組み立ての制限を緩和でき自由度が増す。
【００３９】
以上のように、本実施形態によれば、電子機器の機器内部でＬ型プラグを接続する場合、プラグの半挿し状態を防止しかつスムースな組み立てを可能とするＬ型プラグ接続構造を提供することができる。
【００４０】
本発明は上記実施形態に限定されることなく、特許請求の範囲に記載した発明の範囲内で種々の変形が可能であり、それらも本発明の範囲内に含まれるものである。
【符号の説明】
【００４１】
１、１’    基板
２、２’    コネクタ
３、３’    Ｌ型プラグ
３ａ    Ｌ型プラグ第１部
３ｂ    Ｌ型プラグ第２部
４、４’    意匠カバー
５、６、７、８、９、１０    リブ
１１、１１’    ケーブル
【図１】
0005992950.tif 000002
【図２】
0005992950.tif 000003
【図３】
0005992950.tif 000004
【図４】
0005992950.tif 000005
【図５】
0005992950.tif 000006
【図６】
0005992950.tif 000007
【図７】
0005992950.tif 000008
【図８】
0005992950.tif 000009
【図９】
0005992950.tif 000010
【図１０】
0005992950.tif 000011